(57)【要約】【課題】ＳＡＴＡインタフェースを有する保存装置を提供する。【解決手段】保存装置は、開口部２８を有するフレーム１４と、フレーム１４中に嵌め込まれた印刷回路基板１２と、を備える。印刷回路基板１２は、コネクタ２０を形成する延伸部を有する。延伸部は、開口部２８に貫設されてフレーム１４から露出され、保存装置とホスト装置とをインタフェースする。【選択図】図２
2008204440.tif 000002
【特許請求の範囲】
【請求項１】
開口部を有するフレームと、
前記フレーム中に嵌め込まれた印刷回路基板と、を備える保存装置であって、
前記印刷回路基板は、コネクタを形成する延伸部を有し、該延伸部は、前記開口部に貫設されて前記フレームから露出され、前記保存装置とホスト装置とをインタフェースすることを特徴とする保存装置。
【請求項２】
前記印刷回路基板へ装着され、前記印刷回路基板と電気的に接続された少なくとも１つのメモリ装置をさらに備えることを特徴とする請求項１に記載の保存装置。
【請求項３】
前記印刷回路基板中に形成され、前記メモリ装置と前記ホスト装置とをインタフェースするコントローラをさらに備えることを特徴とする請求項２に記載の保存装置。
【請求項４】
前記メモリ装置は不揮発性のフラッシュメモリであることを特徴とする請求項２に記載の保存装置。
【請求項５】
前記フレームおよび前記印刷回路基板を上下方向からハウジングする２つのカバーをさらに備えることを特徴とする請求項１に記載の保存装置。
【請求項６】
前記コネクタはＳＡＴＡコネクタであることを特徴とする請求項１に記載の保存装置。
【請求項７】
前記フレーム中に前記印刷回路基板が嵌め込まれると、前記フレーム中に形成された２つの溝部により前記印刷回路基板が固定されることを特徴とする請求項１に記載の保存装置。
【請求項８】
開口部を有するフレームと、
前記フレーム中に嵌め込まれた印刷回路基板と、を備える保存装置であって、
前記印刷回路基板は、ＳＡＴＡコネクタを形成する延伸部を有し、該ＳＡＴＡコネクタは、前記開口部に貫設されて前記フレームから露出され、前記保存装置とホスト装置とをインタフェースし、前記印刷回路基板には、前記印刷回路基板と電気的に接続された少なくとも１つのメモリ装置が装着され、該少なくとも１つのメモリ装置は、不揮発性のフラッシュメモリであることを特徴とする保存装置。
【発明の詳細な説明】
【技術分野】
【０００１】
本発明は保存装置に関する。特に、ＳＡＴＡ（Serial Advanced Technology Attachment）インタフェースを有する保存装置に関する。
【背景技術】
【０００２】
全てのコンピュータは、そのサイズの大小に係わらず、中央処理装置、情報表示手段、情報入力手段およびデータ保存手段といった同じ基本サブシステムから構成される。データ保存手段としては、現在、フロッピーディスクドライブ、ハードディスクドライブまたは固定ディスクドライブがあった。しかしフロップーディスクドライブの記憶容量は、１メガバイト以下と限られていたため、大量のデータを記憶する際にはハードディスクドライブを使用することが一般的であった。このハードディスクドライブの総メモリ容量は、５から１０００メガバイトの間である。ユーザは、これらコンピュータデバイスを使用すると、個人情報を携帯することが可能である。
【０００３】
現在さらに携帯しやすいものとして様々なコンピューティング装置（例えば、ＰＤＡ（Ｐｅｒｓｏｎａｌ  Ｄａｔａ  Ａｓｓｉｓｔａｎｔ）など）があるが、これらコンピューティング装置は、ハードディスクに保存するような大量のデータを保存するには記憶容量が足りなかった。その問題点を解決するために、ハードディスクをソリッドステートメモリに交換したものがあった。しかし、従来のソリッドステートメモリを有する１．８インチハードディスクは、ＩＤＥインタフェースのみしか提供されてなかった。つまり、ソリッドステートメモリを有する１．８インチハードディスクドライブは、ＩＤＥインタフェースを有する携帯型電子装置としか通信することができなかった。そのため、ソリッドステートメモリの応用範囲は限定されていた。
【０００４】
上述の理由からソリッドステートメモリを有するハードディスクドライブを利用するために、他のインタフェース仕様を有することが好ましかった。
【０００５】
ＳＡＴＡインタフェース仕様は、データ転送が高速であるという以外に、７つの導線を有する狭いシリアルＡＴＡデータケーブル（ｎａｒｒｏｗｅｒ  Ｓｅｒｉａｌ  ＡＴＡ  ｄａｔａ  ｃａｂｌｅ）だけを用い、ホットプラギングの機能を提供することが可能であるという長所を有する。また、従来のＳＡＴＡハードディスクドライブの最小寸法は２．５インチである。しかし、２．５インチＳＡＴＡハードディスクドライブの従来の装置構造で１．８インチハードディスクドライブを製作することは困難であった。図５は、従来の２．５インチＳＡＴＡハードディスクドライブを示す斜視図である。２．５インチＳＡＴＡハードディスクドライブは、少なくとも１つのメモリ装置５０１を有する印刷回路基板５００と、印刷回路基板５００上に装着されたコネクタ５０２と、フレーム（図示せず）とを含む。しかし、２．５インチ構造などのコネクタは、１．８インチＳＡＴＡハードディスクドライブに使用することができなかった。そのため、１．８インチＳＡＴＡハードディスクドライブには、他の解決方法が求められていた。
【発明の開示】
【発明が解決しようとする課題】
【０００６】
以上述べたことから分かるように、１．８インチＳＡＴＡハードディスクドライブの実行可能な解決方法が求められ、特に、従来の２．５インチＳＡＴＡ装置よりも簡単な構造が求められていた。
【０００７】
そこで、本発明は、ＳＡＴＡインタフェースを有する１．８インチ保存装置を提供することを目的とする。
【課題を解決するための手段】
【０００８】
以上の課題を解決するため、本発明は、開口部を有するフレームと、前記フレーム中に嵌め込まれた印刷回路基板と、を備える保存装置であって、前記印刷回路基板は、コネクタを形成する延伸部を有し、該延伸部は、前記開口部に貫設されて前記フレームから露出され、前記保存装置とホスト装置とをインタフェースすることを特徴とする保存装置を提供する。
【０００９】
このように、本発明の保存装置は、小型で記憶容量が大きいため、ユーザは大量の個人情報を持ち運ぶことが可能である。
【発明の効果】
【００１０】
以上のように本発明を構成したため、本発明は、コストを低減させることができる上、印刷回路基板上にコネクタを装着する必要がない。そのため、本発明は、従来の保存装置よりも経済的かつ簡便性に優れた構造を有する保存装置を提供することができる。
【発明を実施するための最良の形態】
【００１１】
以下、本発明の実施形態を図面に基づいて説明する。尚、これによって本発明が限定されるものではない。
【００１２】
図１を参照する。図１は、本発明の一実施形態によるソリッドステートメモリを有する１．８インチハードディスクドライブ１０を示す斜視図である。ソリッドステートメモリを有する１．８インチハードディスクドライブ１０は、どこにでも簡便に持ち運ぶことができるように、小型であることが好ましい。本実施形態によるソリッドステートメモリを有する１．８インチハードディスクドライブ１０は、幅（Ｗ）が約２．１２インチ（５．３８ｃｍ）であり、長さ（Ｌ）が３．０４インチ（７．７２ｃｍ）であり、高さ（Ｈ）が０．３１インチ（０．７９ｃｍ）である。
【００１３】
図２は、本発明の一実施形態によるソリッドステートメモリを有する１．８インチハードディスクドライブ１０を示す分解斜視図である。一般に、ソリッドステートメモリを有する１．８インチハードディスクドライブ１０は、印刷回路基板（ＰＣＢ）１２、フレーム１４および２つの相対向するカバー１６，１８を含む。本実施形態において、印刷回路基板１２、フレーム１４および２つの相対向するカバー１６，１８は、ネジ２６により互いに組み合わされている。
【００１４】
印刷回路基板１２は、ＳＡＴＡコネクタ２０を形成する延伸部を有する。ＳＡＴＡコネクタ２０は、ホストと接続するために用いる多数のピンを含む。少なくとも１つのメモリ装置２２は、印刷回路基板１２と電気的に接続されている。メモリ装置２２は、印刷回路基板１２に表面実装され、印刷回路基板１２と電気的に接続されている。そのため、各メモリ装置２２は、その他のメモリ装置２２と電気通信が可能で、記憶冗長（ｓｔｏｒａｇｅ  ｒｅｄｕｎｄａｎｃｙ）を提供することができる。一般に、各メモリ装置２２は不揮発性のフラッシュメモリである。本実施形態による２つのメモリ装置２２は、印刷回路基板１２に装着されている。各メモリ装置２２の記憶容量は約２ギガバイトであるため、メモリ装置を２つ用いると、総記憶容量が約４ギガバイトとなる。
【００１５】
また、印刷回路基板１２は、少なくとも１つのコントローラ２４をさらに含む。一般に、コントローラ２４は、印刷回路基板１２を介してメモリ装置２２と電気的に接続された半導体チップを含む。本実施形態によるコントローラ２４は、制御電子装置およびファームウェアを含む集積回路を含んでもよい。コントローラ２４は、メモリ装置２２と、ＰＤＡなどの外部のホスト装置（図示せず）とをインタフェースさせることが可能である。
【００１６】
図３を参照する。図３は、本発明の一実施形態による印刷回路基板１２およびフレーム１４を示す斜視図である。フレーム１４は、プラスチックなどからなる。図４に示すように、印刷回路基板１２をフレーム１４に嵌め込むと、印刷回路基板１２がフレーム１４により保護される。本実施形態では、フレーム１４の内部に相互に対向して２つの溝部が形成されている。２つの溝部の間の間隔は印刷回路基板１２の幅に等しい。このため、印刷回路基板１２がフレーム１４中に嵌め込まれると、印刷回路基板１２の端部は溝部中に固定される。さらに、フレーム１４は開口部２８を有する。図３に示すように、開口部２８は、フレーム１４を構成する辺の縦断面よりも大きな縦断面を有するボックスの中に形成されており、フレーム１４の内部と外部とを連通している。印刷回路基板１２を嵌め込むための開口部が水平面内において広がっているのに対して、開口部２８は水平面と直交する鉛直面内において広がっている。開口部２８の底面にはＳＡＴＡコネクタ２０の幅に合わせた凹部が形成されている。ＳＡＴＡコネクタ２０は、印刷回路基板１２とフレーム１４とが互いに組み合わされると、開口部２８に貫設されてフレーム１４から露出され、開口部２８の底面に形成された凹部に嵌まる。
【００１７】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００１８】
【図１】本発明の一実施形態によるソリッドステートメモリを有する１．８インチハードディスクドライブを示す斜視図である。
【図２】本発明の一実施形態によるソリッドステートメモリを有する１．８インチハードディスクドライブを示す分解斜視図である。
【図３】本発明の一実施形態による印刷回路基板およびフレームを示す斜視図である。
【図４】本発明の一実施形態によるフレームに印刷回路基板が嵌め込まれた時の状態を示す斜視図である。
【図５】従来の２．５インチＳＡＴＡハードディスクドライブを示す斜視図である。
【符号の説明】
【００１９】
１０  ソリッドステートメモリを有する１．８インチハードディスクドライブ
１２  印刷回路基板
１４  フレーム
１６、１８  カバー
２０  ＳＡＴＡコネクタ
２２  メモリ装置
２４  コントローラ
２６  ネジ
２８  開口部
【図１】
2008204440.tif 000003
【図２】
2008204440.tif 000004
【図３】
2008204440.tif 000005
【図４】
2008204440.tif 000006
【図５】
2008204440.tif 000007